(57)【特許請求の範囲】
【請求項１】
指標部が形成された表示板と、前記表示板上を回動して前記指標部を指示する指針と、を有する単一のアナログ式表示部をケース体内に収納してなる車両用計器であって、
前記ケース体から露出する前記アナログ式表示部を覆う透過性あるいは半透過性のカバー部材と、
前記ケース体と前記カバー部材との間に前記アナログ式表示部を囲むように配設される透過性のリング状部材と、
前記表示板の後面側に配設され、前記指針を照明する第一の照明光を発する第一の光源と、
前記表示板の後面側に配設され、前記表示板を照明する第二の照明光を発する第二の光源と、
前記表示板と前記第一の光源との間に配設され、前記第一の照明光を入射する入射部と、前記第一の照明光を前記指針に向けて出射する第一の出射部と、前記第一の照明光を前記表示板と平行方向に反射する第一の反射部と、前記第一の反射部で反射された前記第一の照明光を前記表示板と垂直方向に反射する第二の反射部と、前記第二の反射部で反射された前記第一の照明光を前記リング状部材に向けて出射する第二の出射部と、を有する導光部材と、を備え、
前記第二の照明光は、前記導光部材を透過して前記表示板を照明することを特徴とする車両用計器。
【請求項２】
前記リング状部材は、側面部に遮光層が形成されてなることを特徴とする請求項１に記載の車両用計器。
【請求項３】
前記リング状部材は、前記第一の光源の発光色と同じ色に着色されてなることを特徴とする請求項１に記載の車両用計器。
【請求項４】
前記リング状部材は、前記第一の光源の発光色と異なる色に着色されてなることを特徴とする請求項１に記載の車両用計器。
【請求項５】
前記カバー部材は外周側に段差部を備え、前記リング状部材は前記段差部と対向する位置に配置されることを特徴とする請求項１に記載の車両用計器。
【請求項６】
前記ケース体は、円筒状であることを特徴とする請求項１に記載の車両用計器。
【発明の詳細な説明】
【技術分野】
【０００１】
本発明は、車両情報を表示する車両用計器に関し、特に単一のアナログ式表示部をケース体内に収納してなるいわゆる単眼式のアフターメータに関するものである。
【背景技術】
【０００２】
車速，エンジン回転数，水温，油圧等の様々な車両の走行状態（以下、車両情報という）を表示する車両用計器としては、例えば駆動本体に指針が装着され、前記指針を表示板上で回動させることで前記車両情報を示す計測量を表示する単一のアナログ式表示部をケース体内に収納してなり、車両に通常搭載されるコンビネーションメータとは別に前記車両情報をより詳細に監視するいわゆる単眼式のアフターメータがある（例えば特許文献１参照）。
【特許文献１】特開平６−３８５９３号公報
【特許文献２】特開２００１−３０４９２２号公報
【発明の開示】
【発明が解決しようとする課題】
【０００３】
かかる単眼式のアフターメータにおいては、近年さらにデザイン性や視認性の向上が求められている。車両用計器において視認性、デザイン性を高める手段としては、特許文献２に開示されるように表示板の周囲に透光性のリング状部材を設け、このリング状部材を透過照明する方法が知られている。
【０００４】
しかしながら、前述のリング状の透光部材を設ける方法は、複数のアナログ式表示部及びデジタル表示部を有するコンビネーションメータに関するものであり、かかる構成をそのまま単眼式のアフターメータに適用しても、単眼式のアフターメータは表示板の周囲はスペースが狭く、表示板上に前記リング状部材を配設してもユーザーが前記リング状部材の発光を十分に視認し難いという問題点があった。
【０００５】
そこで、本発明は、上述した課題に着目してなされたものであり、単一のアナログ式表示部をケース体内に収納してなるいわゆる単眼式のアフターメータにおいて、視認性及びデザイン性を向上させることが可能な車両用計器を提供することを目的とする。
【課題を解決するための手段】
【０００６】
本発明は、前記課題を解決するため、指標部が形成された表示板と、前記表示板上を回動して前記指標部を指示する指針と、を有する単一のアナログ式表示部をケース体内に収納してなる車両用計器であって、前記ケース体から露出する前記アナログ式表示部を覆う透過性あるいは半透過性のカバー部材と、前記ケース体と前記カバー部材との間に前記アナログ式表示部を囲むように配設される透過性のリング状部材と、前記表示板の後面側に配設され、前記指針を照明する第一の照明光を発する第一の光源と、前記表示板の後面側に配設され、前記表示板を照明する第二の照明光を発する第二の光源と、前記表示板と前記第一の光源との間に配設され、前記第一の照明光を入射する入射部と、前記第一の照明光を前記指針に向けて出射する第一の出射部と、前記第一の照明光を前記表示板と平行方向に反射する第一の反射部と、前記第一の反射部で反射された前記第一の照明光を前記表示板と垂直方向に反射する第二の反射部と、前記第二の反射部で反射された前記第一の照明光を前記リング状部材に向けて出射する第二の出射部と、を有する導光部材と、を備え、前記第二の照明光は、前記導光部材を透過して前記表示板を照明することを特徴とする。
【０００７】
また、前記リング状部材は、側面部に遮光層が形成されてなることを特徴とする。
【０００８】
また、前記リング状部材は、前記第一の光源の発光色と同じ色に着色されてなることを特徴とする。
【０００９】
また、前記リング状部材は、前記第一の光源の発光色と異なる色に着色されてなることを特徴とする。
【００１１】
また、前記カバー部材は外周側に段差部を備え、前記リング状部材は前記段差部と対向する位置に配置されることを特徴とする。
【００１２】
また、前記ケース体は、円筒状であることを特徴とする。
【発明の効果】
【００１３】
本発明は、車両情報を表示する車両用計器に関し、単一のアナログ式表示部をケース体内に収納してなるいわゆる単眼式のアフターメータにおいて、視認性及びデザイン性を向上させることが可能となるものである。
【発明を実施するための最良の形態】
【００１４】
以下、本発明を適用した実施形態につき添付図面に基づいて説明する。図１は車両用計器の外観を示しており、図２は車両用計器の断面図を示している。車両用計器は、表示部１と、メータケース（ケース体）２と、前面カバー（カバー部材）３と、見返し部材（リング状部材）４と、第一の光源５と、第二の光源６と、導光部材７と、から主に構成される。
【００１５】
表示部１は、指針１１と、表示板１２とを有するアナログ式表示部であり、メータケース２内に収納され、指針１１及び表示板１２が開口部２１から露出するように配置されている。ユーザーは、指針１１と表示板１２に印刷形成されたアナログ指標部１２ａとの対比判読により、車両情報を読み取ることが可能となっている。本実施形態においては表示部１は、前記車両情報としてエンジンオイルの温度（油温）を表示するものであり、油温を３０℃から１５０℃までの範囲で表示することが可能となっている。
【００１６】
指針１１は、透過性の樹脂材料からなる指示部１１ａと、回転駆動部材であるステッピングモータ１３に設けられる回転軸１３ａに固定される指針基部１１ｂと、指針基部１１ｂの前面を覆う遮光部材であり黒色の合成樹脂材料からなる指針キャップ１１ｃとを有する。なお、指示部１１ａの後面側は赤色の箔がホットスタンプされている。指針１１は、ステッピングモータ１３の回転に応じて表示板１２上を回動し、表示板１２上のアナログ指標部１２ａを指示部１１ａによって指示するものである。また、指針１１は、メータケース２内に配設される第一の光源５からの第一の照明光Ｌ１が透過することで所定の色にて照明される。
【００１７】
表示板１２は、透過性基板の前面側にアナログ指標部１２ａとなる個所を除いて遮光性インクにより遮光層を印刷形成し、後面側にアナログ指標部１２ａとの対向個所を除いて白色のインクを塗布して反射層を印刷形成してなる。アナログ指標部１２ａは、目盛りや数字等からなり略円弧状に設けられる複数の指標を有する。なお、アナログ指標部１２ａは、最小目盛位置が時計目盛位置の６時の位置となり、また最大目盛位置が時計目盛位置の３時の位置となるように形成される。また、表示板１２は、メータケース２内に配設される第二の光源６からの第二の照明光Ｌ２がアナログ指標部１２ａを透過することで所定の表示色にて照明される。
【００１８】
メータケース２は、例えばアルミ等の金属材料からなる略円筒状のケース体であり、車両用計器を構成する各種部材を収納するものである。メータケース２は、前面側に表示部１を露出させる開口部２１を有する。また、メータケース２内には、第一，第二の光源５，６のそれぞれの照明領域を区切る仕切り壁２２が設けられている。
【００１９】
前面カバー３は、例えば透過性の合成樹脂材料あるいは黒色等の暗色の半透過性の合成樹脂材料からなるものであり、メータケース２の開口部２１を覆うものである。また、前面カバー３は外周側に段差部３１を備え、中央部分が外周側よりも前方に突出する形状となっている。
【００２０】
見返し部材４は、メータケース２と前面カバー３との間に表示部１を囲むように配設されるリング状の部材である。見返し部材４は、不透過性の樹脂材料と透過性の樹脂材料とを一体形成したものであり、透過性の合成樹脂材料からなる透過層４１の両側面を不透過性の樹脂材料からなる遮光層４２，４３で挟持した状態に形成されている。また、見返し部材４は、前面カバー３の段差部３１と対向する位置に配置される。透過層４１は、第一の光源５の第一の照明光Ｌ１によって透過照明される。見返し部材４の内側側面に形成される遮光層４２は、透過層４１を通過する第一の照明光Ｌ１が、表示部１の中央方向に照射されることを防止し、前面側方向に出射されるようにする。また、見返し部材４の外側側面に形成される遮光層４３は、透過層４１を透過する第一の照明光Ｌ１が側方から外部に漏れることを防止し、前面側方向に出射されるようにする。
【００２１】
第一の光源５は、例えば発光ダイオード（ＬＥＤ）からなり、表示板１２の後面側に配設されて指針１１を照明する第一の照明光Ｌ１を発するものである。なお、本実施形態においては第一の照明光Ｌ１は赤色の発光色を示す。
【００２２】
第二の光源６は、例えばＬＥＤからなりからなり、表示板１２の後面側に配設され表示板１２を照明する第二の照明光Ｌ２を発するものである。なお、本実施形態においては第二の照明光Ｌ２は第一の照明光Ｌ１とは異なる発光色であり、白色の発光色を示す。
【００２３】
導光部材７は、ポリカーボネイトやアクリル等の透過性の合成樹脂材料からなる透過性部材であり、メータケース２内に表示板１２と第一，第二の光源５，６との間に位置するように配設される。導光部材７は、中央部分にステッピングモータ１３の回転軸１３ａが貫通する貫通孔７１を有する。導光部材７は、第一の光源５の第一の照明光Ｌ１を指針１１及び見返し部材４に導くものであり、第一の照明光Ｌ１を入射する入射部７２と、第一の照明光Ｌ１を指針１１に向けて出射する第一の出射部７３と、第一の照明光Ｌ１を表示板１２と平行方向に反射する第一の反射部７４と、第一の反射部７４で反射された第一の照明光Ｌ１を表示板１２と垂直方向に反射する第二の反射部７５と、第二の反射部７５で反射された第一の照明光Ｌ１を見返し部材４に向けて出射する第二の出射部７６と、を有する。すなわち、第一の照明光Ｌ１は、入射部７２に入射されるとその一部が第一の出射部７３を介して指針１１に入射し、指示部１１ａを透過照明する。また、第一の照明光Ｌ１のうちの他の一部は、第一の反射部７４，第二の反射部７５及び第二の出射部７６を介して見返し部材４の中心部である透過層４１に入射し、見返し部材４を透過照明する。このとき、前面カバー３の段差部３１と対向する見返し部材４から第一の照明光Ｌ１が外部に出射されるため、ユーザーは前面カバー３の外周がリング状に発光しているような印象を受ける。なお、入射部７２は、第一の光源５からの第一の照明光Ｌ１を効率よく入射できるよう、曲面を有する凸状となっている。第二の照明光Ｌ２は、導光部材７の第一の反射部７３と第二の反射部７４との間の平板部７７を透過して表示板１２のアナログ指標部１２ａを透過照明する。なお、平板部７７は表示板１２と平行となるように形成されているため、第二の照明光Ｌ２が平板部７７を透過してアナログ指標部１２ａを照明することが可能となっている。
【００２４】
以上の各部によって車両用計器が構成されている。
【００２５】
かかる車両用計器は、第一の光源５の第一の照明光Ｌ１を指針１１及び見返し部材４に導く導光部材７を設けることによって、表示板１２の周囲のスペースが狭い単眼式のアフターメータであっても、ユーザーがリング状の発光を十分に視認することができ、また、単に表示板１２の周囲ではなく前面カバー３の外周がリング状に発光しているような意匠とすることができ、視認性及びデザイン性を向上させることが可能となる。
【００２６】
また、見返し部材４の側面部に遮光層４２，４３を形成することによって、見返し部材４を照明する第一の照明光Ｌ１が表示部１内に照射されるあるいは側方より外部に漏れることがなく、表示部１の表示品質を保つことができる。
【００２７】
また、導光部材７において第二の照明光Ｌ２との対向個所には表示板１２と平行な平板部７７を設けることによって、第二の照明光Ｌ２が導光部材７を透過して表示板１２を照明することができ、見返し部材４を照明する構成においても良好に表示板１２を照明することができる。
【００２８】
また、前面カバー３の外周側に段差部３１を備え、見返し部材４を段差部３１と対向する位置に配置することによって、段差部３１によって見返し部材４の発光をさらに強調することができ、デザイン性及び視認性を向上させることができる。
【００２９】
なお、本実施形態において、見返し部材４の透過層４１を第一の光源５の発光色と同じ色に着色するものであってもよい。本実施形態では、透過層４１を赤色にすることで第一の光源５からの第一の照明光Ｌ１によって透過照明する際に、発光色の異なる第二の光源６からの第二の照明光Ｌ２の影響を受けずに見返し部材４を照明することが可能となり、第一の光源５で照明される指針１１と見返し部材４との照明色を均一化して美観を高め商品性をさらに向上させることができる。
【００３０】
また、本実施形態において、見返し部材４の透過層４１を第一の光源５の発光色と異なる色に着色するものであってもよい。本実施形態では、例えば第一の光源５の発光色を白色のように可視光線範囲内の波長を有するものとし、透過層４１を例えば赤色にすることで第一の光源５からの第一の照明光Ｌ１によって透過照明する際に、第一の光源５の発光色とは異なる色（赤色）に見返し部材４を照明色を変更することが可能となり、美観を高め商品性をさらに向上させることができる。
【図面の簡単な説明】
【００３１】
【図１】本発明の実施形態である車両用計器を示す外観図。
【図２】同上の車両用計器を示す断面図。
【符号の説明】
【００３２】
１    表示部
１１  指針
１２  表示板
２    メータケース（ケース体）
３    前面カバー（カバー部材）
４    見返し部材（リング状部材）
５    第一の光源
６    第二の光源
７    導光部材
７１  貫通孔
７２  入射部
７３  第一の出射部
７４  第一の反射部
７５  第二の反射部
７６  第二の出射部
Ｌ１  第一の照明光
Ｌ２  第二の照明光
【図１】
0005246593.tif 000002
【図２】
0005246593.tif 000003